(57)【要約】【課題】キャビティに対するスラリー中の成形材料の供給量を安定化させることができるスラリー充填装置を提供する。【解決手段】スラリー充填装置８は、スラリーを溜めるスラリータンク１１を有するスラリー供給源９と、スラリー供給ヘッド１０とを備えている。スラリー供給ヘッド１０は、スラリーＳの吸い込み・吐き出しを行う充填用シリンダ２３を有し、この充填用シリンダ２３のピストン２５にはピストン駆動用アクチュエータ２８が連結されている。また、スラリー供給ヘッド１０は、スラリー供給源９のスラリー出口と接続される送り管路２９と、スラリー供給源９のスラリー戻り口と送り管路２９とを接続する戻り管路３０とを有している。送り管路２９及び戻り管路３０の接続部分と充填用シリンダ２３とは分岐管路３１を介して接続されている。【選択図】図１
2008238730.tif 000002
【特許請求の範囲】
【請求項１】
スラリーをキャビティに充填するためのスラリー充填装置であって、
前記スラリーを溜めるタンクを有するスラリー供給源と、
前記スラリーの吸い込み・吐き出しを行う充填用シリンダと、
前記充填用シリンダを駆動する駆動手段と、
前記スラリー供給源のスラリー出口に接続された第１管路と、
前記スラリー供給源のスラリー戻り口と前記第１管路とを接続する第２管路と、
前記第１管路及び前記第２管路と前記充填用シリンダとを接続する第３管路と、
前記充填用シリンダが前記スラリーを吸い込んで吐き出すように、前記駆動手段を制御すると共に前記第２管路及び前記第３管路内の前記スラリーの流れを制御する制御手段とを備え、
前記第１管路及び前記第２管路は、前記スラリー供給源から出た前記スラリーを前記タンクに戻すスラリー循環管路を形成し、
前記第１管路及び前記第３管路は、前記スラリー供給源から出た前記スラリーを前記充填用シリンダに供給するスラリー供給管路を形成していることを特徴とするスラリー充填装置。
【請求項２】
前記制御手段は、前記充填用シリンダのピストンが前記スラリーを吸い込む方向に移動するように前記駆動手段を制御すると共に、前記第１管路から前記第３管路に前記スラリーを流し、前記第１管路から前記第２管路への前記スラリーの流れを停止するように制御し、その後、前記充填用シリンダのピストンが前記スラリーを吐き出す方向に移動するように前記駆動手段を制御すると共に、前記第１管路から前記第２管路に前記スラリーを流し、前記第１管路から前記第３管路に前記スラリーを流す動作と当該スラリーの流れを停止する動作とを繰り返し行うように制御することを特徴とする請求項１記載のスラリー充填装置。
【請求項３】
前記制御手段は、前記第２管路に設けられた第１開閉バルブと、前記第３管路に設けられた第２開閉バルブと、前記第１開閉バルブ及び第２開閉バルブの開閉動作をそれぞれ制御する手段とを有することを特徴とする請求項１または２記載のスラリー充填装置。
【請求項４】
前記制御手段は、前記第１管路と前記第２管路と前記第３管路との接続部に設けられた３方切換バルブと、前記３方切換バルブの開閉位置の切換動作を制御する手段とを有することを特徴とする請求項１または２記載のスラリー充填装置。
【発明の詳細な説明】
【技術分野】
【０００１】
本発明は、例えば湿式成形用金型のキャビティにスラリーを充填するためのスラリー充填装置に関するものである。
【背景技術】
【０００２】
従来のスラリー充填装置としては、例えば特許文献１に記載されているものが知られている。この文献に記載のスラリー充填装置は、ダイスのスラリー導入孔にスラリー供給管を介して接続されたスラリー容器と、スラリー供給管に設けられた２つのバルブと、スラリー供給管における２つのバルブ間に接続されたスラリー圧送装置とを備え、スラリー容器からのスラリーをスラリー圧送装置に吸い込んだ後、スラリー圧送装置によりスラリーをダイスのキャビティに圧送するというものである。
【特許文献１】特開平９−２８６０１２号公報
【発明の開示】
【発明が解決しようとする課題】
【０００３】
しかしながら、上記従来技術においては、スラリー圧送装置にスラリーを吸い込んだ後、スラリーをスラリー圧送装置からキャビティに圧送するため、スラリー供給管内にスラリーが滞留する状態が存在する。このようにスラリーが滞留すると、スラリー中の溶媒と成形材料との分離が起こり、成形材料が均一に分散した状態が崩れるため、スラリー圧送装置に吸い込まれる成形材料の量が毎回変動する。従って、ダイスのキャビティにスラリーが充填される度に、キャビティに供給される成形材料の量が変動するため、結果的に成形体の成形密度のばらつきが生じてしまう。
【０００４】
本発明の目的は、キャビティに対するスラリー中の成形材料の供給量を安定化させることができるスラリー充填装置を提供することにある。
【課題を解決するための手段】
【０００５】
本発明は、スラリーをキャビティに充填するためのスラリー充填装置であって、スラリーを溜めるタンクを有するスラリー供給源と、スラリーの吸い込み・吐き出しを行う充填用シリンダと、充填用シリンダを駆動する駆動手段と、スラリー供給源のスラリー出口に接続された第１管路と、スラリー供給源のスラリー戻り口と第１管路とを接続する第２管路と、第１管路及び第２管路と充填用シリンダとを接続する第３管路と、充填用シリンダがスラリーを吸い込んで吐き出すように、駆動手段を制御すると共に第２管路及び第３管路内のスラリーの流れを制御する制御手段とを備え、第１管路及び第２管路は、スラリー供給源から出たスラリーをタンクに戻すスラリー循環管路を形成し、第１管路及び第３管路は、スラリー供給源から出たスラリーを充填用シリンダに供給するスラリー供給管路を形成していることを特徴とするものである。
【０００６】
このようなスラリー充填装置において、スラリーをキャビティに充填する際には、まず充填用シリンダがスラリーを吸い込むように、制御手段により駆動手段を制御すると共に第２管路及び第３管路内のスラリーの流れを制御することで、スラリー供給源から出たスラリーをスラリー供給管路により充填用シリンダに供給する。続いて、充填用シリンダがスラリーを吐き出すように、制御手段により駆動手段を制御すると共に第２管路及び第３管路内のスラリーの流れを制御することで、スラリー供給源から出たスラリーをスラリー循環管路によりタンクに戻す。これにより、スラリーは常に第１管路内を流れることとなるため、第１管路内においてスラリーが滞留してスラリー中の溶媒と成形材料とが分離することが防止される。従って、成形材料の分散均一性が良好に保たれた状態で、スラリーが充填用シリンダに吸い込まれるため、成形材料の吸い込み量の変動が抑制される。その結果、スラリー中の成形材料をキャビティに定量供給することができる。
【０００７】
好ましくは、制御手段は、充填用シリンダのピストンがスラリーを吸い込む方向に移動するように駆動手段を制御すると共に、第１管路から第３管路にスラリーを流し、第１管路から第２管路へのスラリーの流れを停止するように制御し、その後、充填用シリンダのピストンがスラリーを吐き出す方向に移動するように駆動手段を制御すると共に、第１管路から第２管路にスラリーを流し、第１管路から第３管路にスラリーを流す動作と当該スラリーの流れを停止する動作とを繰り返し行うように制御する。
【０００８】
充填用シリンダがスラリーを吸い込むときに、第１管路から第２管路へのスラリーの流れを停止することにより、充填用シリンダに向けて第３管路内を流れるスラリーの流量変動に起因した成形材料の分散均一性の悪化を防止することができる。また、充填用シリンダがスラリーを吐き出すときに、第１管路から第３管路にスラリーを流す動作と当該スラリーの流れを停止する動作とを繰り返し行うことにより、第３管路内のスラリーと第２管路内を循環するスラリーとの混合が促進されるため、第３管路内のスラリーに含まれる成形材料の分散状態をより均一にすることができる。以上により、充填用シリンダへの成形材料の吸い込み量の変動が更に抑制されるため、スラリー中の成形材料をキャビティに確実に定量供給することができる。
【０００９】
また、好ましくは、制御手段は、第２管路に設けられた第１開閉バルブと、第３管路に設けられた第２開閉バルブと、第１開閉バルブ及び第２開閉バルブの開閉動作をそれぞれ制御する手段とを有する。
【００１０】
このように独立して制御可能な第１開閉バルブ及び第２開閉バルブを設けることにより、第１管路〜第３管路内のスラリーの流れを一時的にも遮断させることなく、充填用シリンダへのスラリーの供給動作とスラリーの循環動作とを切り換えることができる。
【００１１】
制御手段は、第１管路と第２管路と第３管路との接続部に設けられた３方切換バルブと、３方切換バルブの開閉位置の切換動作を制御する手段とを有していても良い。
【００１２】
この場合には、制御手段の部品点数を必要最小限に抑えつつ、第１管路から第２管路のみにスラリーを流す動作と第１管路から第３管路のみにスラリーを流す動作と第１管路から第２管路及び第３管路の両方にスラリーを流す動作とを切り換えることができる。
【発明の効果】
【００１３】
本発明によれば、キャビティに対するスラリー中の成形材料の供給量を安定化させることができる。これにより、キャビティ内に充填されるスラリーの濃度が均一化されるので、成形密度の均一性の良好な成形体を得ることが可能となる。
【発明を実施するための最良の形態】
【００１４】
以下、本発明に係るスラリー充填装置の好適な実施形態について、図面を参照して詳細に説明する。
【００１５】
図１は、本発明に係るスラリー充填装置の一実施形態を備えた湿式成形装置の一部を示す概略構成図である。同図において、湿式成形装置１は、例えば電気自動車等に用いられる金属磁石を加圧成形するものである。
【００１６】
湿式成形装置１は、スラリーが充填されるキャビティ２を有するダイ３と、キャビティ２内に下側から挿入されるように配置された下パンチ４と、この下パンチ４の上方に配置された上パンチ５とを備え、キャビティ２に充填されたスラリーを下パンチ４と上パンチ５とで圧縮成形することにより、成形品として金属磁石を得る。スラリーは、金属磁石用材料粉末（成形材料）を油等の溶媒中に分散させてなるものである。下パンチ４の上面には、キャビティ２に充填されたスラリー中の溶媒のみを通す濾布６が設けられている。下パンチ４には、濾布６を通過した溶媒を排出するための複数の排出孔４ａが形成されている。また、ダイ３の上方及び下方には、磁場配向用コイル７がそれぞれ配置されている。
【００１７】
湿式成形装置１は、ダイ３のキャビティ２にスラリーを充填するためのスラリー充填装置８を具備している。スラリー充填装置８は、スラリー供給源９と、スラリー供給ヘッド１０とを備えている。
【００１８】
スラリー供給源９は、スラリーを溜めておくスラリータンク１１と、このスラリータンク１１と吸い上げ管路１２を介して接続され、スラリータンク１１内のスラリーを吸い上げて吐出する供給ポンプ１３とを有している。スラリータンク１１には、スラリー補充口１４が設けられている。また、スラリータンク１１内には、スラリーを攪拌させる攪拌羽根１５が配置されており、この攪拌羽根１５は攪拌用モータ１６により回転駆動される。供給ポンプ１３の吐出口（スラリー出口）には、送り管路１７が接続されている。スラリータンク１１の戻り口には、戻り管路１８が接続されている。
【００１９】
スラリー供給ヘッド１０は、接続ホース１９，２０を介してスラリー供給源９と接続されている。スラリー供給ヘッド１０は、一軸ロボットやリニアモータ等の搬送用アクチュエータ２１によって、レール２２上をダイ３に対して近接・離間するように移動可能である。このとき、スラリー供給ヘッド１０が図１に示す待機位置から図２に示すスラリー充填位置まで移動しても支障の無いように、接続ホース１９，２０の長さに十分な余裕を持たせている。
【００２０】
スラリー供給ヘッド１０は、スラリー供給源９より導入されるスラリーＳの吸い込み・吐き出しを行うシリンジタイプの充填用シリンダ２３を有している。充填用シリンダ２３は、シリンダチューブ２４と、このシリンダチューブ２４内に配置されたピストン２５とを有している。シリンダチューブ２４の先端には、スラリーＳを下方に吐出するためのノズル２６が取り付けられている。ノズル２６には、必要に応じてシリンダチューブ２４内へのスラリーの逆流を防止するための逆止弁や、開閉動作が制御される電磁弁が設けられる。ピストン２５には、ピストンロッド２７を介してピストン駆動用アクチュエータ２８が連結されている。ピストン駆動用アクチュエータ２８は、リニアモータやソレノイド、流体シリンダ等で構成されている。
【００２１】
また、スラリー供給ヘッド１０は、接続ホース１９と接続される送り管路２９と、接続ホース２０と接続される戻り管路３０とを有している。これらの送り管路２９及び戻り管路３０の他端同士は接続されている。また、送り管路２９及び戻り管路３０の接続部分と充填用シリンダ２３とは分岐管路３１を介して接続されている。
【００２２】
ここで、吸い上げ管路１２、供給ポンプ１３、送り管路１７、接続ホース１９、送り管路２９、戻り管路３０、接続ホース２０及び戻り管路１８は、スラリータンク１１内のスラリーを循環させてスラリータンク１０内に戻すためのスラリー循環管路３２を形成している。吸い上げ管路１２、供給ポンプ１３、送り管路１７、接続ホース１９、送り管路２９及び分岐管路３１は、スラリータンク１１内のスラリーを充填用シリンダ２３に供給するためのスラリー供給管路３３を形成している。
【００２３】
戻り管路３０には、スラリー供給源９へのスラリーの流れを切り換えるための電磁式の開閉バルブ３４が設けられている。分岐管路３１には、充填用シリンダ２３へのスラリーの流れを切り換えるための電磁式の開閉バルブ３５が設けられている。また、充填用シリンダ２３と分岐管路３１との間には、充填用シリンダ２３から分岐管路３１へのスラリーの逆流を防止するための逆止弁３６が設けられている。
【００２４】
さらに、スラリー充填装置８は、攪拌用モータ１６、搬送用アクチュエータ２１、ピストン駆動用アクチュエータ２８及び開閉バルブ３４，３５を制御する制御ユニット３７を備えている。
【００２５】
図３は、制御ユニット３７により実行される制御処理手順を示すフローチャートである。以下、図３に示すフローチャートを用いて、ダイ３のキャビティ２にスラリーを充填する方法について説明する。
【００２６】
なお、スラリー供給ヘッド１０は、搬送用アクチュエータ２１によって図２に示すスラリー充填位置に達しているものとする。また、スラリー供給ヘッド１０の初期状態では、図４（ａ）に示すように、充填用シリンダ２３のピストン２５が押し側のストロークエンド位置にあり、開閉バルブ３４が開位置にあり、開閉バルブ３５が閉位置にあるものとする。この状態では、スラリータンク１１内のスラリーは、スラリー循環管路３２内を通って常時循環されている。
【００２７】
このとき、スラリータンク１１内に配置された攪拌羽根１５は、攪拌用モータ１６により回転駆動されている。このため、スラリーは、スラリータンク１１内で攪拌されながら循環されることとなる。これにより、スラリー循環管路３２により循環されるスラリー中に含まれる成形材料（材料粉末）をほぼ均一に分散させて、スラリー濃度をほぼ均一化させることができる。
【００２８】
制御ユニット３７は、まず図４（ｂ）に示すように、充填用シリンダ２３のピストン２５を吸い込み方向（矢印方向）に引くようにピストン駆動用アクチュエータ２８を制御する（図３の手順Ｓ１０１）。また、制御ユニット３７は、開閉バルブ３４を閉位置に切り換えるように制御すると共に、開閉バルブ３５を開位置に切り換えるように制御する（同手順Ｓ１０２）。これらの手順Ｓ１０１，Ｓ１０２の処理は、互いに連動させて行うのが望ましい。
【００２９】
すると、送り管路２９内のスラリーがスラリー供給源９に向けて流れなくなるため、スラリーの循環が停止し、送り管路２９内のスラリーは分岐管路３１内を通って充填用シリンダ２３に導入されるようになる。これにより、図４（ｂ）に示すように、充填用シリンダ２３のシリンダチューブ２４内にスラリーＳが吸い込まれていく。
【００３０】
そして、制御ユニット３７は、例えば位置センサ等（図示せず）に基づいて、図４（ｃ）に示すように、充填用シリンダ２３のピストン２５が引き側ストロークエンド位置に達したかどうかを判断し（同手順Ｓ１０３）、ピストン２５が引き側ストロークエンド位置に達したときは、ピストン２５を停止させるようにピストン駆動用アクチュエータ２８を制御する（同手順Ｓ１０４）。そして、制御ユニット３７は、開閉バルブ３４を開位置に切り換えるように制御すると共に、開閉バルブ３５を閉位置に切り換えるように制御する（同手順Ｓ１０５）。
【００３１】
すると、送り管路２９内のスラリーが充填用シリンダ２３に向けて流れなくなり、送り管路２９内のスラリーは戻り管路３０、接続ホース２０及び戻り管路１８を通ってスラリータンク１１に戻る。つまり、スラリーは、スラリータンク１１内で攪拌されながら循環するようになる。
【００３２】
続いて、制御ユニット３７は、図４（ｄ）に示すように、充填用シリンダ２３のピストン２５を吐き出し方向（矢印方向）に押し込むようにピストン駆動用アクチュエータ２８を制御する（同手順Ｓ１０６）。そして、制御ユニット３７は、開閉バルブ３５を開位置と閉位置とに交互に切り換えるように制御する（同手順Ｓ１０７）。これらの手順Ｓ１０６，Ｓ１０７の処理は、互いに連動させて行うのが望ましい。また、開閉バルブ３５の開閉切換タイミングや開閉時間等については、スラリー中の成形材料の分散状態に応じて適宜設定すれば良い。
【００３３】
すると、図２及び図４（ｄ）に示すように、充填用シリンダ２３のシリンダチューブ２４内に吸い込まれたスラリーＳがノズル２６から吐き出され、キャビティ２にスラリーＳが充填されていく。このとき、送り管路２９から分岐管路３１にスラリーが流れる状態と当該スラリーの流れが停止する状態とが交互に行われる。
【００３４】
そして、制御ユニット３７は、上記の手順Ｓ１０３と同様の方法によって、図４（ａ）に示すように、充填用シリンダ２３のピストン２５が押し側ストロークエンド位置に達したかどうかを判断し（同手順Ｓ１０８）、ピストン２５が押し側ストロークエンド位置に達したときは、ピストン２５を停止させるようにピストン駆動用アクチュエータ２８を制御する（同手順Ｓ１０９）。そして、制御ユニット３７は、開閉バルブ３５を閉位置にするように制御する（同手順Ｓ１１０）。これにより、スラリー供給ヘッド１０が上記の初期状態に戻る。
【００３５】
このようにスラリー供給源９からの攪拌されたスラリーは、送り管路１７、接続ホース１９及び送り管路２９を常に流れ続ける。このため、これらの管路１７，１９，２９の内部でスラリーが滞留することは無いので、スラリーに含まれる溶媒と成形材料とが分離が抑制される。従って、管路１７，１９，２９の内部では、循環するスラリー中の成形材料がほぼ均一に分散した状態に維持される。
【００３６】
また、図４（ｂ）に示すように充填用シリンダ２３内にスラリーが吸い込まれるときには、開閉バルブ３４を閉じることで送り管路２９から戻り管路３０へのスラリーの流れが遮断され、送り管路２９内のスラリーのほぼ全流量が分岐管路３１のみに流れるようになる。従って、充填用シリンダ２３に供給されるスラリーの流量変動が抑制されるため、分岐管路３１内においてスラリー中の成形材料の分散均一性が崩れることが防止される。
【００３７】
その後、図４（ｃ）に示すように充填用シリンダ２３内にスラリーが吸い込まれた後、開閉バルブ３４を開けることで送り管路２９から戻り管路３０にスラリーが流れるようになる。このとき、開閉バルブ３５が閉じられることで充填用シリンダ２３へのスラリーの流れが急に遮断されるため、水撃（ウォータハンマ）作用によって分岐管路３１内に急激な圧力上昇が発生する。分岐管路３１における開閉バルブ３５の上流側（戻り管路３０側）の部分では、圧力波が減衰するため直ちに元の圧力に戻る。しかし、分岐管路３１における開閉バルブ３５と充填用シリンダ２３との間の部分は閉鎖された空間となるので、上昇した圧力が平均化されたまま維持されることになり、戻り管路３０（スラリー循環管路３２）内よりも相対的に高い圧力となる。
【００３８】
この状態で、図４（ｄ）に示すように開閉バルブ３５を開けると、分岐管路３１の上記閉鎖空間から戻り管路３０に向けてスラリーが流れるようになる。このとき、分岐管路３１内が圧力平衡状態となることは殆ど無く、分岐管路３１内の圧力のオーバーシュートが発生するため、スラリーの流れが直ちに停止せずに、戻り管路３０から分岐管路３１へのスラリーの揺り戻しの流れが生じる。このため、分岐管路３１内のスラリーがスラリー循環管路３２内を循環するスラリーと混合するようになるため、分岐管路３１内においてスラリー中の成形材料がほぼ均一に分散する状態を維持することができる。
【００３９】
そして、そのような開閉バルブ３５の開閉動作を繰り返し行うと、その度に分岐管路３１内に急激な圧力上昇が発生し、その時の圧力変動によって分岐管路３１内のスラリーとスラリー循環管路３２内を循環するスラリーとの混合が促進される。このため、分岐管路３１内のスラリーの攪拌作用が起こることになるため、スラリー中の成形材料の分散状態をより均一化することができる。
【００４０】
以上により、スラリー中の成形材料の分散均一性が良く、スラリー濃度が均一化された状態で、充填用シリンダ２３のシリンダチューブ２４内にスラリーが吸い込まれるようになる。このため、シリンダチューブ２４内に吸い込まれる成形材料の量の変動が抑えられる。
【００４１】
従って、その状態でシリンダチューブ２４内からスラリーを吐き出して、ダイ３のキャビティ２内にスラリーを充填することにより、キャビティ２内への成形材料の供給量を定量化することができる。これにより、成形品を量産する際に、各成形品の成形密度や単重量のばらつきを抑制することができる。また、キャビティ２内にスラリーが充填されたときに、成形材料がほぼ均一に分布するようになるので、成形密度がほぼ均一な成形品を得ることができる。以上の結果、ばらつきの少ない高品質な成形体を効率良く量産することが可能となる。
【００４２】
図５は、本発明に係るスラリー充填装置の他の実施形態を備えた湿式成形装置の一部を示す概略構成図である。図中、上述した実施形態と同一または同等の部材には同じ符号を付し、その説明を省略する。
【００４３】
同図において、本実施形態のスラリー充填装置８は、上述した実施形態における開閉バルブ３４，３５に代えて、電磁式の３方切換バルブ４０を備えている。３方切換バルブ４０は、送り管路２９と戻り管路３０と分岐管路３１との接続部分に設けられている。３方切換バルブ４０の開閉位置の切換動作は、制御ユニット３７によって制御される。具体的には、制御ユニット３７は、図６（ａ）に示す循環位置と図６（ｂ）に示す供給位置と図６（ｃ）に示す循環・供給位置との何れかに切り換えるように３方切換バルブ４０を制御する。
【００４４】
３方切換バルブ４０が循環位置にあるときは、送り管路２９と戻り管路３０とが連通し、送り管路２９と分岐管路３１とは連通しないため、送り管路２９から戻り管路３０にのみスラリーが流れる。３方切換バルブ４０が供給位置にあるときは、送り管路２９と分岐管路３１とが連通し、送り管路２９と戻り管路３０とは連通しないため、送り管路２９から分岐管路３１にのみスラリーが流れる。３方切換バルブ４０が循環・供給位置にあるときは、送り管路２９と戻り管路３０及び分岐管路３１とが連通するため、送り管路２９から戻り管路３０及び分岐管路３１の両方にスラリーが流れる。
【００４５】
このように３方切換バルブ４０の流れ方向を適宜切り換えることにより、図４に示す動作と同様の動作を実施することができる。これにより、本実施形態においても、上述した実施形態と同様の作用効果を得ることが可能となる。
【００４６】
なお、本発明は、上記実施形態に限られるものではない。例えば上記実施形態の機能に加え、スラリー濃度を均一化するためにスラリータンク１１内のスラリーの液面位置や温度を管理したり、成形品の単重量を計測し、キャビティ２内へのスラリーの充填量をフィードバック制御しても良い。
【００４７】
また、上記実施形態のスラリー充填装置は、金属磁石を圧縮成形するための湿式成形装置に用いられるものであるが、本発明は、そのような金属磁石の成形に限られず、成形品を得るために金型のキャビティにスラリーを充填するものであれば適用可能である。
【図面の簡単な説明】
【００４８】
【図１】本発明に係るスラリー充填装置の一実施形態を備えた湿式成形装置の一部を示す概略構成図である。
【図２】図１に示したスラリー充填装置によりキャビティにスラリーを充填する様子を示す概略構成図である。
【図３】図１に示した制御ユニットにより実行される制御処理手順を示すフローチャートである。
【図４】図１に示したスラリー充填装置によりキャビティにスラリーを充填する際のスラリー供給ヘッドの動作を示す概略図である。
【図５】本発明に係るスラリー充填装置の他の実施形態を備えた湿式成形装置の一部を示す概略構成図である。
【図６】図５に示した３方切換バルブの切換位置を示す図である。
【符号の説明】
【００４９】
２…キャビティ、８…スラリー充填装置、９…スラリー供給源、１１…スラリータンク、１７…送り管路（第１管路）、１８…戻り管路（第２管路）、１９…接続ホース（第１管路）、２０…接続ホース（第２管路）、２３…充填用シリンダ、２５…ピストン、２８…ピストン駆動用アクチュエータ（駆動手段）、２９…送り管路（第１管路）、３０…戻り管路（第２管路）、３１…分岐管路（第３管路）、３２…スラリー循環管路、３３…スラリー供給管路、３４…開閉バルブ（第１開閉バルブ、制御手段）、３５…開閉バルブ（第２開閉バルブ、制御手段）、３７…制御ユニット（制御手段）、４０…３方切換バルブ（制御手段）、Ｓ…スラリー。
【図１】
2008238730.tif 000003
【図２】
2008238730.tif 000004
【図３】
2008238730.tif 000005
【図４】
2008238730.tif 000006
【図５】
2008238730.tif 000007
【図６】
2008238730.tif 000008